(57)【要約】【課題】所定空間を利用しようとするユーザの該所定空間へのチェックインと、該所定空間に配置されたネットワークへの無線接続とを容易に管理するシステムを提供する。【解決手段】ユーザの所定空間へのチェックインを管理するとともに該所定空間に配置された所定のネットワークへの無線接続を管理するチェックインシステムであって、処理装置と、所定のネットワークへの無線接続を管理する接続管理制御装置と、ユーザが所定空間へチェックインするためのチェックイン情報と関連付けられた、ユーザの所定の第１端末が接続管理制御装置との無線通信を可能とする第１無線設定情報を、該所定の第１端末に付与する情報付与装置と、を備える。そして、処理装置により、所定の第１端末とは異なる所定の第２端末は、所定のネットワークへの無線接続を行っている該所定の第１端末から第２端末用の第２無線設定情報を提供される。【選択図】図２
2016100715.tif 000002
【特許請求の範囲】
【請求項１】
ユーザの所定空間へのチェックインを管理するとともに該所定空間に配置された所定のネットワークへの無線接続を管理するチェックインシステムであって、
処理装置と、
前記所定のネットワークの外部から該所定のネットワークへの無線接続を管理する接続管理制御装置と、
ユーザが前記所定空間へチェックインするためのチェックイン情報と関連付けられた、ユーザの所定の第１端末が前記接続管理制御装置との無線通信を可能とする第１無線設定情報を、該所定の第１端末に付与する情報付与装置と、
を備え、
前記接続管理制御装置は、前記第１無線設定情報が付与された前記所定の第１端末の、前記所定のネットワークへの無線接続を許可し、
前記処理装置は、前記所定の第１端末とは異なる所定の第２端末が、該所定の第２端末と前記接続管理制御装置との無線通信を可能とするための第２無線設定情報を、前記所定のネットワークへの無線接続を行っている該所定の第１端末に要求したときに、該所定の第１端末が前記第１無線設定情報と関連付けられた無線設定情報を該第２無線設定情報として準備し該所定の第２端末に提供するように、該所定の第１端末を機能させる、
チェックインシステム。
【請求項２】
前記第１無線設定情報は、前記所定空間にチェックインするユーザに割り当てられたユーザ識別情報と、前記所定の第１端末専用に対応する第１端末識別情報とを含み、
前記第２無線設定情報は、前記ユーザ識別情報と、前記所定の第２端末専用に対応する第２端末識別情報を含む、
請求項１に記載のチェックインシステム。
【請求項３】
前記第２無線設定情報は、前記第１無線設定情報と同一の情報である、
請求項１に記載のチェックインシステム。
【請求項４】
前記情報付与装置は、前記第１無線設定情報に加えて、前記チェックイン情報も前記所定の第１端末に付与する、
請求項１から請求項３の何れか１項に記載のチェックインシステム。
【請求項５】
前記情報付与装置は、前記所定の第１端末との無線通信を介して前記チェックイン情報及び前記第１無線設定情報を、該所定の第１端末に付与する、
請求項４に記載のチェックインシステム。
【請求項６】
前記情報付与装置は、前記チェックイン情報と前記第１無線設定情報を同時に前記所定の第１端末に付与する、
請求項５に記載のチェックインシステム。
【請求項７】
前記所定のネットワーク以外のネットワークであってユーザが接続可能な第２ネットワークに接続され、且つ、前記ユーザが前記所定空間にチェックインする時期である所定のチェックイン時期の処理を含む、該所定空間の使用に関する予約処理を行う予約装置を、更に備え、
前記情報付与装置も、前記第２ネットワークに接続され、
ユーザの前記予約装置による予約処理時に、前記情報付与装置は、前記所定の第１端末に、少なくとも前記チェックイン情報及び前記第１無線設定情報を、前記所定のチェックイン時期の到達まで該チェックイン情報と該第１無線設定情報が無効とされた状態で付与する、
請求項４から請求項６の何れか１項に記載のチェックインシステム。
【請求項８】
ユーザの所定空間へのチェックインを管理するとともに、ユーザの、所定の第１端末を含む複数の端末を、該所定空間に配置された所定のネットワークに無線接続させるためのチェックインプログラムであって、
前記所定のネットワークの外部から該所定のネットワークへの無線接続は、接続管理制御装置によって管理され、
前記チェックインプログラムは、
前記所定の第１端末に、
ユーザが前記所定空間へチェックインするためのチェックイン情報と関連付けられた、前記所定の第１端末が前記接続管理制御装置との無線通信を可能とする第１無線設定情報を、情報付与装置から受信するステップと、
前記受信した第１無線設定情報に従い、前記接続管理制御装置を介して前記所定のネットワークへ無線接続するステップと、
前記所定の第１端末とは異なる所定の第２端末が、該所定の第２端末と前記接続管理制御装置との無線通信を可能とするための第２無線設定情報を、前記所定のネットワークへの無線接続を行っている該所定の第１端末に要求したときに、該所定の第１端末が前記第１無線設定情報と関連付けられた無線設定情報を該第２無線設定情報として準備し該所定の第２端末に提供するステップと、
を実行させるチェックインプログラム。
【発明の詳細な説明】
【技術分野】
【０００１】
本発明は、ユーザの所定空間へのチェックインとともに、そこに配置されたネットワークへの無線接続を管理するチェックインシステムに関する。
【背景技術】
【０００２】
所定の通信装置がＬＡＮやインターネットなどのネットワークに対して無線接続する場合、当該ネットワークへの接続を管理する無線ＬＡＮアクセスポイントやルーター等の接続管理制御装置に対して無線通信を行い、そこで装置間の認証等所定の処理が要求される。このネットワークへの無線接続のための処理を簡易なものにするために、ＡＯＳＳ（Airstation One-touch Secure System）や、ＷＰＳ（WiFi Protected Setup）等の技術がある。これらの技術を用いると、ルーター等の所定のボタンと、無線通信装置のボタンを押すだけで無線ＬＡＮの設定が完了する。
【０００３】
また、ネットワークに無線接続するにあたって、その無線接続のための識別情報やパスワード等の、無線通信のための情報（無線設定情報）の入力が求められる場合がある。このような場合、通信装置のユーザがそれらの情報を入力し、接続管理制御装置がそれらの情報に基づいてネットワークへの無線接続の可否を判断する。ここで、ユーザによる無線設定情報の入力に要する手間を省くために、予め通信装置側に無線設定情報が記録されている場合がある。しかし、ユーザがこの無線設定情報を視認できる状態であれば、当該情報の不正利用が懸念されるため、通信装置において当該情報を視認できないようにする技術が開発されている（例えば、特許文献１を参照）。
【先行技術文献】
【特許文献】
【０００４】
【特許文献１】特許第４２９６２１７号公報
【発明の概要】
【発明が解決しようとする課題】
【０００５】
ホテルや駅等の所定の空間については、基本的に自由な出入りは許されておらず、ホテルでの宿泊や駅の使用等の当該空間のユーザに対してのみ、その空間への出入りが許される。このような所定空間においてもユーザ向けに整備された無線接続可能なネットワークが配置されている場合があるが、ユーザが自己の端末を所定の空間に持ち込んで利用しようとしても、ネットワークの管理の都合上、無線接続するためには一定の手続きが求められ、ユーザの利便性に欠ける。
【０００６】
ここで、従来技術のように、無線通信の機能を有する端末等の通信装置にネットワークへの無線接続のための無線設定情報が予め記録されている場合、ユーザは、その通信装置を容易に、当該無線設定情報に対応するネットワークに対して無線接続することはできる。しかし、その容易さは、予め記録されている無線設定情報に対応するネットワークに対してのみ発揮されるのであって、上記ホテルや駅等のようにユーザが一時的に利用しようとする空間や初めて利用する空間に配置されたネットワークに対しては、当該ネットワークに対応した無線設定情報を有していないことから、従来技術の利益を享受することは難しい。
【０００７】
本発明は、このような問題に鑑みてなされたものであり、所定空間を利用しようとするユーザの該所定空間へのチェックインと、該所定空間に配置されたネットワークへの無線接続とを容易に管理するシステムを提供することを目的とする。
【課題を解決するための手段】
【０００８】
本発明においては、上記課題を解決するために、チェックインのための情報と、無線接続のための情報とを関連付けてユーザの第１の端末に付与するとともに、その第１の端末が、別のユーザの端末に管理された無線設定情報を提供する構成を採用した。これにより、チェックイン情報から無線設定情報を利用したネットワークへの無線接続を把握することが可能となり、好適なネットワーク管理が実行できる。
【０００９】
詳細には、本発明は、ユーザの所定空間へのチェックインを管理するとともに該所定空間に配置された所定のネットワークへの無線接続を管理するチェックインシステムであって、処理装置と、前記所定のネットワークの外部から該所定のネットワークへの無線接続を管理する接続管理制御装置と、ユーザが前記所定空間へチェックインするためのチェックイン情報と関連付けられた、ユーザの所定の第１端末が前記接続管理制御装置との無線通信を可能とする第１無線設定情報を、該所定の第１端末に付与する情報付与装置と、を備える。そして、当該チェックインシステムでは、前記接続管理制御装置は、前記第１無線設定情報が付与された前記所定の第１端末の、前記所定のネットワークへの無線接続を許可し、前記処理装置は、前記所定の第１端末とは異なる所定の第２端末が、該所定の第２端末と前記接続管理制御装置との無線通信を可能とするための第２無線設定情報を、前記所定のネットワークへの無線接続を行っている該所定の第１端末に要求したときに、該所定の第１端末が前記第１無線設定情報と関連付けられた無線設定情報を該第２無線設定情報として準備し該所定の第２端末に提供するように、該所定の第１端末を機能させる。
【００１０】
上記のチェックインシステムでは、所定空間を利用するためにユーザに割り当てられたチェックイン情報と、その所定空間に配置された所定のネットワークへの無線接続のための第１無線設定情報とが関連付けられている。ここでいうチェックイン情報とは、所定空間の利用に関してユーザを識別するための情報（ユーザの名前や住所等）や所定空間に出入りするための鍵情報等である。また、第１無線設定情報とは、所定のネットワークを管理している接続管理制御装置によって、ユーザの所定の第１端末の無線接続が認められるための無線設定情報である。ここで無線設定情報の一例としては、所定のネットワークで識別されるための識別情報や、当該識別情報に対応するパスワード等が挙げられる。
【００１１】
そして、情報付与装置からユーザの所定の第１端末に少なくとも第１無線設定情報が付与されることで、所定の第１端末は付与された第１無線設定情報を使用して接続管理制御装置を介して所定のネットワークに無線接続が許されることになる。この状態において、所定の第１端末は、チェックイン情報を介して所定空間のユーザと関連付けられた状態で、無線接続が許可された状態となる。
【００１２】
ここで、本発明に係るチェックインシステムは、上記のように所定のネットワークに無線接続した所定の第１の端末を、ユーザの別の端末である所定の第２端末のための無線設定情報（第２無線設定情報）を提供する装置として機能させる。すなわち、所定の第２端末は所定のネットワークへの無線接続に際して、接続管理制御装置に対してではなく、所定の第１端末に対して無線設定情報の交換を要求する。そして、その要求が所定の第１端末に届くと、所定の第１端末は、所定の第２端末のための第２無線設定情報を準備する。この第２無線設定情報の準備に関し、所定の第１端末は、第２無線設定情報を第１無線設定情報と同一としてもよく、異なるものとしてもよい。いずれにせよ所定の第１端末で準備された第２無線設定情報は、所定の第２端末側へ送られ、所定の第２端末による無線接続に使用され、その結果、所定の第２端末は、接続管理制御装置を介した所定のネットワークへの無線接続が可能となる。
【００１３】
このようにして所定の第２端末が無線接続した場合、その第２無線設定情報は、チェッ
クイン情報と関連付けられた第１無線設定情報に、更に関連付けられている。そのため、所定の第２端末による無線接続も、所定空間のユーザと関連付けられた状態で許可された状態となっている。したがって、ユーザとしては、自己の端末間での処理で、所定空間に配置された所定のネットワークへの、所定の第2端末の無線接続が容易に実現でき、その
利便性が高まるとともに、ユーザの各端末の無線接続は、接続管理制御装置が管理可能な状態で実行されるため、無線接続の管理の面からも好適な管理が行われている。
【００１４】
ここで、上記のチェックインシステムにおける、第２無線設定情報と第１無線設定情報との関連付けについて、前記第１無線設定情報は、前記所定空間にチェックインするユーザに割り当てられたユーザ識別情報と、前記所定の第１端末専用に対応する第１端末識別情報とを含み、前記第２無線設定情報は、前記ユーザ識別情報と、前記所定の第２端末専用に対応する第２端末識別情報を含むようにしてもよい。また、別法として、前記第２無線設定情報は、前記第１無線設定情報と同一の情報としてもよい。前者の場合、接続管理制御装置は、所定空間にチェックインするユーザと、所定の第１端末及び所定の第２端末とを関連付けた上で、所定の第１端末による無線接続と所定の第２端末による無線接続とをそれぞれ区別することができる。また、後者は、少なくとも所定の第１端末及び所定の第２端末による無線接続を、所定空間にチェックインするユーザと関連付けることができる。
【００１５】
また、上述までのチェックインシステムにおいて、前記情報付与装置は、前記第１無線設定情報に加えて、前記チェックイン情報も前記所定の第１端末に付与してもよい。これにより所定の第１端末は、所定の第２端末のための無線設定情報を提供する機能に加えて、ユーザが所定空間に出入りするための鍵機能を有することになる。この場合、前記情報付与装置は、前記所定の第１端末との無線通信を介して前記チェックイン情報及び前記第１無線設定情報を、該所定の第１端末に付与してもよい。無線通信を介して当該付与が行われることで、ユーザの利便性は高まる。そして、その付与の一例として、前記情報付与装置は、前記チェックイン情報と前記第１無線設定情報を同時に前記所定の第１端末に付与してもよい。
【００１６】
また、上述までのチェックインシステムにおいて、前記所定のネットワーク以外のネットワークであってユーザが接続可能な第２ネットワークに接続され、且つ、前記ユーザが前記所定空間にチェックインする時期である所定のチェックイン時期の処理を含む、該所定空間の使用に関する予約処理を行う予約装置を、更に備えてもよい。その場合、前記情報付与装置も、前記第２ネットワークに接続され、また、ユーザの前記予約装置による予約処理時に、前記情報付与装置は、前記所定の第１端末に、少なくとも前記チェックイン情報及び前記第１無線設定情報を、前記所定のチェックイン時期の到達まで該チェックイン情報と該第１無線設定情報が無効とされた状態で付与する。このようにユーザの予約処理時に、チェックイン情報と第１無線設定情報を所定の第１端末に付与しておくことで、その所定のチェックイン時期が到達すると、ユーザは直ちに所定空間に出入りができるとともに、所定のネットワークへの無線接続を開始することができる。なお、このように予めチェックイン情報と第１無線設定情報が所定の第１端末に付与されていても、所定のチェックイン時期の到達までこれらの情報は無効化されているため、所定空間や所定ネットワークの不正な使用には至らない。
【００１７】
また、本願発明を、ユーザの所定空間へのチェックインを管理するとともに、ユーザの、所定の第１端末を含む複数の端末を、該所定空間に配置された所定のネットワークに無線接続させるためのチェックインプログラムの側面から捉えることもできる。この場合、前記所定のネットワークの外部から該所定のネットワークへの無線接続は、接続管理制御装置によって管理されている。そして、前記チェックインプログラムは、前記所定の第１端末に、ユーザが前記所定空間へチェックインするためのチェックイン情報と関連付けら
れた、前記所定の第１端末が前記接続管理制御装置との無線通信を可能とする第１無線設定情報を、情報付与装置から受信するステップと、前記受信した第１無線設定情報に従い、前記接続管理制御装置を介して前記所定のネットワークへ無線接続するステップと、前記所定の第１端末とは異なる所定の第２端末が、該所定の第２端末と前記接続管理制御装置との無線通信を可能とするための第２無線設定情報を、前記所定のネットワークへの無線接続を行っている該所定の第１端末に要求したときに、該所定の第１端末が前記第１無線設定情報と関連付けられた無線設定情報を該第２無線設定情報として準備し該所定の第２端末に提供するステップと、を実行させる。なお、当該チェックインプログラムの発明には、上記チェックインシステムの発明に関し開示した技術思想を、技術的な齟齬が生じない限りで適用することが可能である。
【発明の効果】
【００１８】
所定空間を利用しようとするユーザの該所定空間へのチェックインと、該所定空間に配置されたネットワークへの無線接続とを容易に管理するシステムを提供することを可能とする。
【図面の簡単な説明】
【００１９】
【図１】本発明に係るチェックインシステムの概略構成を示す図である。
【図２】図２に示すチェックインシステムに対して無線接続する無線端末を中心とした情報の送受信の様子を示すシーケンス図である。
【図３Ａ】図１に示すチェックインシステムに対して無線接続する無線端末１の機能ブロック図である。
【図３Ｂ】図１に示すチェックインシステムに対して無線接続する無線端末２の機能ブロック図である。
【図４】図１に示すチェックインシステムに含まれるアクセスポイントの機能ブロック図である。
【図５】無線端末２で実行される無線接続処理のフローチャートである。
【図６】無線端末１で実行される設定情報提供処理のフローチャートである。
【図７】図５及び図６に示す各処理において無線設定情報の取得のために無線端末間で送受信される要求コマンド及び無線設定情報のデータ構造を概略的に示す図である。
【図８】アクセスポイントが備える管理用の無線設定情報の概略的な構成を示す図である。
【発明を実施するための形態】
【００２０】
図面を参照して本発明に係るチェックインシステムについて説明する。なお、以下の実施形態の構成は例示であり、本発明はこの実施の形態の構成に限定されるものではない。
【実施例１】
【００２１】
図１は、宿泊客（ユーザ）が宿泊するホテルにチェックインするためのチェックインシステムＣＳの概略構成を示す図である。ユーザがチェックインする（宿泊する）部屋Ｒ１には、ホテル内に敷設されたＬＡＮ９への無線接続を管理する装置であるアクセスポイント３が配置されており、当該アクセスポイント３もチェックインシステム１の一部を構成する。そして、図１に示す無線端末１、２は、ユーザが所有する無線通信装置であり、内蔵するアンテナ等を利用してアクセスポイント３への無線通信や互いの無線通信を可能とするハードウェアが搭載されている。しかし、ユーザの宿泊当初は、無線端末１、２はアクセスポイント３に対して無線通信するための無線設定情報を保持していないため、アクセスポイント３を介したＬＡＮ９への無線接続はできない。なお、無線設定情報は、ＬＡＮ９に無線接続するために必要とされる情報であり、例えば、ＬＡＮ９での識別情報と、識別情報に対応したパスワード等で形成される。
【００２２】
ここで、チェックインシステムＣＳについて説明する。先ず、ホテル側においてユーザを管理するための宿泊管理装置５が設置されている。この宿泊管理装置５は、宿泊者や宿泊予定者の識別情報（宿泊者の個人を特定するための姓名や年齢等の情報）の管理を行う。そして、ユーザがホテルのフロントでチェックインする際に、ホテルスタッフは、この宿泊管理装置５を用いて、ユーザが宿泊部屋Ｒ１に入出するためのカードキー６に、ユーザに与えられた宿泊部屋Ｒ１への入出許可情報（鍵情報）であるチェックイン情報を付与する。このチェックイン情報は、当該ユーザの識別情報に紐付けられているものである。そして、ユーザは、指定された部屋Ｒ１に行き、その扉に設けられたセンシング部にかざすと、カードキー６内に保持されている入室許可情報が非接触式に読み取られ、扉が解錠される。
【００２３】
また、宿泊管理装置５は、ホテルの各部屋に設けられたアクセスポイント（部屋Ｒ１のアクセスポイント３も含む）にも接続されており、アクセスポイントで管理しているＬＡＮ９への無線接続に関する情報が宿泊管理装置５側に渡され、ホテル全体でのＬＡＮ９への無線接続の状況が把握可能となる。アクセスポイント３は、上記の通りアクセスポイント３を介してＬＡＮ９に無線接続する無線端末の当該無線接続を管理制御する装置であり、その無線接続の管理制御のための情報として管理用無線設定情報を有しており、アクセスポイント３のメモリ内に記憶している。当該管理用無線設定情報は、図１において参照番号３ａが付されており、また、後述する図８にその具体的な構成が開示されている。
【００２４】
更に、チェックインシステムＣＳにはサーバ４が含まれる。サーバ４は、ＬＡＮ９に接続されており、チェックインシステムＣＳにおける様々な処理を司る。その処理の一例として、後述する図５に示す無線接続処理を実行するためのプログラムや図６に示す設定情報提供処理を実行するためのプログラムを提供する処理を行う。
【００２５】
ここで、チェックインシステムＣＳによりユーザのカードキー６内に付与されるのは、上記の入室許可情報だけではなく、ユーザが自己の無線端末を、アクセスポイント３を介してＬＡＮ９に無線接続するために必要な無線設定情報も含まれる。なお、カードキー６に付与される無線設定情報は、ユーザの１台の無線端末用の無線設定情報であり、図１に示す実施例では無線端末１用の無線設定情報である。この無線端末１用の無線設定情報を第１無線設定情報という。この第１無線設定情報は、ユーザのチェックイン情報と関連付けられており、宿泊管理装置５側では、当該チェックイン情報を利用して部屋Ｒ１に宿泊したユーザと、当該第１無線設定情報を利用してＬＡＮ９に無線接続したユーザを紐付けて管理することが可能となる。
【００２６】
ここで、図２に基づいて、ユーザが２つの無線端末１、２の、アクセスポイント３を介したＬＡＮ９への無線接続を実現するための処理の流れを説明する。カードキー６を使用して部屋Ｒ１に入室したユーザは、無線端末１が有するＮＦＣ（Near Field Communication）機能を利用して、カードキー６内に記録されている、無線端末１専用の制御プログラム（以降、「第１制御プログラム」という）が格納されているサーバ４内の所定領域を指定するＵＲＬ情報を取得する。この第１制御プログラムが、図６に示す設定情報提供処理を無線端末１に実行させることになる。
【００２７】
そして、上記ＵＲＬ情報を取得すると、タイミングＴ１で、当該ＵＲＬ情報に従って無線端末１は、アクセスポイント３を経由してサーバ４に第１制御プログラムの要求を行う。ここで、アクセスポイント３は、宿泊管理装置５からユーザのカードキー６にチェックイン情報及び第１無線設定情報が付与された際に、同じく宿泊管理装置５から、ユーザが、第１制御プログラムの取得ために当該ＵＲＬ情報で指定される領域にアクセスすることを許可する指示が予め伝えられている。したがって、上記第１制御プログラムの要求は、アクセスポイント３を介してサーバ４に届けられる。そして、その要求に従い、サーバ４
から第１制御プログラムがアクセスポイント３を経由して無線端末１に送信される。
【００２８】
そして、タイミングＴ２で第１制御プログラムを受信した無線端末１は、そのインストールを実行する。その後、無線端末１は、カードキー６内に記録されている第１無線設定情報を、上記のＮＦＣ機能によりカードキー６から取得する。したがって、本実施例では、カードキー６が本発明の情報付与装置に相当する。なお、この第１無線設定情報の取得は、上記ＵＲＬ情報の取得と同時に行ってしまってもよい。そして、無線端末１は、取得した第１無線設定情報に従ってアクセスポイント３と無線通信を行い（タイミングＴ３）、そこを介してＬＡＮ９に無線接続ができるようになる。この無線端末１による無線接続は、チェックイン情報に関連付けられた第１無線設定情報が使用されるため、アクセスポイント３及び宿泊管理装置５は、宿泊者であるユーザ、すなわち部屋Ｒ１への入室が許可された者による無線接続が行われていることを把握することができる。
【００２９】
そして、第１制御プログラムが無線端末１にインストールされることで、図３Ａに示す機能部の一部が無線端末１内に形成される。図３Ａは、無線端末１の有する機能の一部をイメージ化した機能ブロック図である。この機能ブロック図で示される機能は、無線端末１が有する演算装置、メモリ等による第１制御プログラム等の実行により実現される。
【００３０】
無線端末１は、機能部として、制御部１０、通信部１１、無線設定情報記憶部１２を有している。制御部１０は、無線端末１における様々な制御を司る機能部であるが、特に、通信制御部１０１、探知応答部１０２、設定情報受信部１０３、設定情報準備部１０４を有している。この通信制御部１０１は、上記の第１無線設定情報の取得のために必要なカードキー６との情報の送受信や、後述する無線端末２との間の無線通信や、アクセスポイント３を介したＬＡＮ９への無線接続が確立された後における情報の送受信等、様々な情報の送受信を行う機能部である。次に探知応答部１０２は、後述するように他の無線端末（本実施例の場合は無線端末２）がその他の無線端末のための無線設定情報を提供する無線端末（本実施例の場合は無線端末１）を探知するための探知信号に応答する機能部である。
【００３１】
また、設定情報受信部１０３は、カードキー６から送信された第１無線設定情報を受信する機能部である。この第１無線設定情報の受信も、通信制御部１０１の制御の下で行われる。そして、設定情報準備部１０４は、上記探知信号を送信してきた他の無線端末からその他の無線端末のための無線設定情報に関する要求信号を受信した際に、その要求された無線設定情報を要求元に送信するための準備に関する処理を行う機能部である。この無線設定情報の準備については、様々な準備態様があり、その詳細については、後述する。
【００３２】
次に、通信部１１は、無線端末１に搭載されたアンテナを通し外部との情報の送受信を司るものであり、具体的には、通信制御部１０１からの制御に従って、無線端末１と外部の装置（無線端末２やアクセスポイント３等）との情報の送受信を行う。なお、本実施例では、外部の装置との情報の送受信は、全て無線通信で行われるものとする。また、無線設定情報記憶部１２は、設定情報受信部１０３によって受信された無線設定情報等を記憶する機能部である。この記憶された無線設定情報に従うことで、無線端末１は、アクセスポイント３を介したＬＡＮ９への無線接続が可能となる。
【００３３】
ここで、再び図２に戻る。無線端末１は、アクセスポイント３を介してＬＡＮ９に無線接続した状態となっている。ここで、部屋Ｒ１内にある無線端末２が、タイミングＴ４で、無線端末２専用の制御プログラム（以降、「第２制御プログラム」という）が格納されているサーバ４内の所定領域を指定するＵＲＬ情報に従って、アクセスポイント３を経由してサーバ４に第１制御プログラムの要求を行う。なお、アクセスポイント３は、第２制御プログラム取得用のＵＲＬ情報で指定される領域にアクセスすることについて、任意の
無線端末に許可するように設定されている。したがって、上記第２制御プログラムの要求は、アクセスポイント３を介してサーバ４に届けられる。この第２制御プログラムが、図５に示す無線接続処理を無線端末２に実行させることになる。そして、その要求に従い、サーバ４から第２制御プログラムがアクセスポイント３を経由して無線端末２に送信される。
【００３４】
そして、タイミングＴ５で第２制御プログラムを受信した無線端末２は、そのインストールを実行する。そして、第２制御プログラムが無線端末２にインストールされることで、図３Ｂに示す機能部の一部が無線端末２内に形成される。図３Ｂは、無線端末２の有する機能の一部をイメージ化した機能ブロック図である。この機能ブロック図で示される機能は、無線端末２が有する演算装置、メモリ等による第２制御プログラム等の実行により実現される。
【００３５】
無線端末２は、機能部として、制御部２０、通信部２１、無線設定情報記憶部２２を有している。そして、制御部２０は、無線端末２における様々な制御を司る機能部であるが、特に、通信制御部２０１、設定情報要求部２０２、設定情報受信部２０３、探知部２０４を有している。ここで、通信部２１、無線設定情報記憶部２２は、無線端末１の通信部１１、無線設定情報記憶部１２と実質的に同じであり、また、制御部２０が有する通信制御部２０１、設定情報受信部２０３は、無線端末１の制御部１０が有する通信制御部１０１、設定情報受信部１０３と実質的に同じであるから、これらの制御部の詳細についてはその説明は割愛する。
【００３６】
設定情報要求部２０２は、無線端末２がアクセスポイント３を介してＬＡＮ９への無線接続を確立するために、既に無線接続を確立している無線端末１に対して、自己（無線端末２）が使用する第２無線設定情報を送信するように要求信号を送信する機能部である。設定情報要求部２０２で生成された要求信号は、通信制御部１０１の制御の下、無線端末１に対して送信される。また、探知部２０４は、自己の無線端末（本実施例の場合は無線端末２）のための無線設定情報を提供する無線端末（本実施例の場合は無線端末１）を探知するための機能部であり、探知部２０４によって出された探知信号に上記の探知応答部１０２が応答することになる。
【００３７】
また、図４には、参考としてアクセスポイント３が有する機能の一部をイメージ化した機能ブロック図を示す。アクセスポイント３は、通信部３１、管理用無線設定情報記憶部３２、接続管理部３３を有している。通信部３１は、ＬＡＮ９に無線接続する無線端末と通信を行うための機能部である。そして、管理用無線設定情報記憶部３２は、通信部３１を介して無線通信が行われる無線端末を管理するための管理用無線設定情報を記憶する機能部である。管理用無線設定情報には、管理対象となる無線端末の識別情報や当該無線端末に付与された無線接続のための権限等の情報が含まれている（詳細は、後述の図８を参照）。そして、これらの管理用無線設定情報に基づいて、ＬＡＮ９への無線接続を接続管理部３３が管理制御する。
【００３８】
無線端末２で第２制御プログラムのインストールが終了すると、第２制御プログラムにより図５に示す無線接続処理が開始されるとともに、第１制御プログラムによる図６に示す設定情報提供処理が協働して開始される。両処理により無線端末２のための第２無線設定情報の取得が試みられることになる。そこで、この無線端末２による第２無線設定情報の取得のための処理について、図２に示すシーケンスとともに図５、図６に示すフローチャートに基づいて詳細に説明する。
【００３９】
また、図７には、無線設定情報の取得のために無線端末１と無線端末２との間で送受信される情報（無線設定情報の要求のためのメッセージ情報（以下、「要求メッセージ情報
」という）と、当該要求に対応する回答のメッセージ情報（以下、「回答メッセージ情報」という））のデータ構造を示す。図７（ａ）には、無線端末２から無線端末１に送られる情報と、無線端末１から無線端末２に送られる情報に共通するデータ構造が開示されている。当該情報は、概略的に８つの領域に区分される。本実施例では、８つの領域のうち、特に重要な５つの領域ａ１〜ａ５について説明する。領域ａ１(Start Symbol)は、メッセージ情報の始まりを示す特定のバイト列である。領域ａ２(Destination Address)は、
メッセージ情報が最終的に伝送される宛先（要求メッセージ情報の場合は無線端末１が宛先となり、回答メッセージ情報の場合は無線端末２が宛先となる）のアドレスを表す。領域ａ３(Source Address)は、メッセージ情報の送信元（要求メッセージ情報の場合は無線端末２が送信元となり、回答メッセージ情報の場合は無線端末１が送信元となる）のアドレスを表す。
【００４０】
次に、領域ａ４(Data)は、各メッセージ情報に対応したデータが格納され、具体的には、図７（ｂ）に示すように、領域ａ４は、３つの領域ａ４１、ａ４２、ａ４３に区分されている。領域ａ４１は、メッセージ情報の識別情報が格納され、当該識別情報により要求メッセージ情報のデータであるのか回答メッセージ情報のデータであるかを識別することができる。そして、領域ａ４２には、各メッセージ情報に対応した具体的なデータが格納され、詳細には、要求メッセージ情報の場合は無線端末２の第２無線設定情報を要求するコマンドが格納され、回答メッセージ情報の場合は当該要求への回答として無線端末２の第２無線設定情報のデータが格納される。そして、領域ａ４３には、チェックサムに関する情報が可能される。そして、領域ａ５(Terminator Symbol for Data)は、送信情報の終わりを示す特定のバイト列である。
【００４１】
そして、図７（ｃ）には、無線端末２から無線端末１に送信される要求メッセージ情報の具体的なデータ内容が開示されており、図７（ｄ）には、無線端末１から無線端末２に送信される回答メッセージ情報の具体的なデータ内容が開示されている。図７（ｃ）、（ｄ）における参照番号ａ１〜ａ５、ａ４１〜ａ４３は、図７（ａ）、（ｂ）に示すデータ領域の参照番号に対応するものである。これらの具体的なデータ内容から分かるように、無線端末１の識別情報は“１００１”、無線端末２の識別情報は“２００１”である。そして、領域ａ４１の識別情報がＦＦのとき、当該メッセージ情報は要求メッセージ情報であり、領域ａ４１の識別情報がＦＥのとき、当該メッセージ情報は回答メッセージ情報である。なお、要求メッセージ情報の場合（図７（ｃ））、領域ａ４２に格納されるデータは、ＬＡＮ９に無線接続するための情報（少なくとも当該ネットワークでの識別情報と当該識別情報に対応するパスワード等）を問い合わせるコマンドである。また、回答メッセージ情報の場合（図７（ｄ））、領域ａ４２に格納されるデータは、要求コマンドに対応した回答内容（すなわち、上記ネットワークでの識別情報やパスワード等）である。
【００４２】
ここで、図５、図６に戻り、無線端末１と無線端末２との間で行われる第２無線設定情報の取得に関する処理について説明する。先ず、無線端末２で行われる無線接続処理について説明する。Ｓ１０１では、探知部２０４により、無線端末２のための無線設定情報である第２無線設定情報を提供してくれる無線端末の探知が行われる。具体的には、第１制御プログラムがインストールされた無線端末（本実施例の場合は無線端末１）の探知が行われ、第１制御プログラムが実行されている無線端末１では、その探知信号が届くと第１制御プログラムによって形成される探知応答部１０２によって応答信号が返信されることになる。したがって、Ｓ１０１では、無線端末１からの応答信号の受信をもって、無線端末１の探知が実行されたことになる。Ｓ１０１の処理が終了すると、Ｓ１０２へ進む。
【００４３】
Ｓ１０２では、無線端末２に対応する無線設定情報である第２無線設定情報が、Ｓ１０１で探知された無線端末１に対して要求される。Ｓ１０２の処理は、設定情報要求部２０２によって行われる。具体的には、図７（ｃ）に示した要求メッセージ情報が通信部２１
を経由して無線端末１に送信される。なお、Ｓ２０１で要求メッセージ情報が送信されたタイミングは、図２に示すシーケンスではタイミングＴ６となる。Ｓ１０２の処理が終了すると、Ｓ１０３へ進む。
【００４４】
Ｓ１０３では、Ｓ１０１での要求メッセージ情報の送信を受けて、無線端末１から第２無線設定情報を受信したか否かが判定される。なお、無線端末１から第２無線設定情報が送信されるためには、無線端末１で図６に示す設定情報提供処理が行われることになるが、当該処理については後述する。Ｓ１０３の処理は、設定情報受信部２０３による第２無線設定情報の受信を受けて通信制御部２０１が判定する。Ｓ１０３で肯定判定されると、設定情報受信部２０３によって受信された第２無線設定情報を無線設定情報記憶部２２に記憶し、Ｓ１０６へ進む。一方でＳ１０３で否定判定されると、Ｓ１０４の処理へ進む。なお、Ｓ１０２で肯定判定されたタイミングは、図２に示すシーケンスではタイミングＴ８となる。
【００４５】
次にＳ１０４では、Ｓ１０２で要求した第２無線設定情報の受信不良が生じているか否かが判定される。当該受信不良は、要求先の無線端末１から第２無線設定情報を受信できない状態を表すものである。例えば、Ｓ１０２による第２無線設定情報の要求が行われてから所定時間内に無線端末１から第２無線設定情報を受信できなかった場合には、「受信不良」が生じることとなる。その他、第２無線設定情報を要求した無線端末２が第２無線設定情報の受信をいたずらに長期にわたって待つ状態とならないように、所定の判断基準に従ってＳ１０４における判定処理が行われてもよい。Ｓ１０４で肯定判定されるとＳ１０５へ進み、無線端末２のディスプレイに、第２無線設定情報の要求に関するエラーが表示され、ユーザに第２無線設定情報を取得することができなかったことが報知される。なお、Ｓ１０４で否定判定されると、再びＳ１０３以降の処理が行われる。
【００４６】
また、Ｓ１０３で肯定判定され、受信された第２無線設定情報が無線設定情報記憶部２２に記憶されると、Ｓ１０６で、その第２無線設定情報を用いてアクセスポイント３に対して無線通信が実行される。このＳ１０６の処理は、通信制御部２０１によって実行される。なお、Ｓ１０６でアクセスポイント３に対して無線通信を実行したタイミングは、図２に示すシーケンスではタイミングＴ９となる。この結果、無線端末２は、無線端末１から無線設定情報を取得した後は、アクセスポイント３を介したＬＡＮ９への無線接続が可能となる。
【００４７】
ここで、無線端末１において、上記無線接続処理と協働して実行される設定情報提供処理について、図６に基づいて説明する。Ｓ２０１では、上記のように無線端末２側での探知部２０４からの探知信号を受け取ったか否かが判定される。なお、当該判定は、探知応答部１０２によって行われる。Ｓ２０１で肯定判定されると、探知信号の発信元である無線端末２に対して探知信号への回答を送信するとともにＳ２０２へ進む。なお、この探知信号への回答には、後の第２無線設定情報の要求先が無線端末１であることを知らしめるべく、当該要求先としての無線端末１のアドレス情報が含まれる。また、Ｓ２０１で否定判定されると、本処理を終了する。
【００４８】
次にＳ２０２では、無線端末２から第２無線設定情報の要求信号、すなわち図７（ｃ）に例示した要求メッセージ情報を受信したか否かが判定される。当該判定処理は、通信制御部１０１によって行われる。Ｓ２０２で肯定判定されると、無線端末１において無線端末２のための第２無線設定情報を準備するために、Ｓ２０３以降の処理が行われる。一方で、Ｓ２０２で否定判定されると再びＳ２０２の処理が繰り返される。
【００４９】
次にＳ２０３では、設定情報準備部１０４によって、要求元の無線端末２に提供される第２無線設定情報の準備が行われる。第２無線設定情報の準備については、幾つかの準備
態様が例示できる。第１には、無線端末１が現在ＬＡＮ９に無線接続を行っている際に使用している第１無線設定情報を、そのまま要求元の無線端末２が使用する第２無線設定情報として準備する。そのため、この第１の準備態様では、無線端末１は第２無線設定情報を容易に準備することができる。その一方で、仮に無線端末２がこのように準備された第２無線設定情報を提供され、それを使用してアクセスポイント３にアクセスすると、アクセスポイント３に対しては、同一の無線設定情報で無線端末１と無線端末２がアクセスする状態となるため、アクセスポイント３が無線設定情報を利用して無線端末を区別することが困難となる。しかし、第２無線設定情報が第１無線設定情報と同一であることは、両情報同士は関連付けられていることになり、換言すれば、アクセスポイント３は、少なくとも無線端末２については、無線端末１と同じユーザ（すなわち、部屋Ｒ１への入出が許可されたユーザ）によって無線通信が行われていると把握することが可能である。
【００５０】
また、第２の準備態様では、無線端末１が現在ＬＡＮ９に無線接続を行っている際に使用している無線設定情報とは異なる無線設定情報を、要求元の無線端末２が使用する第２無線設定情報として準備する。具体的には、第１無線設定情報と第２無線設定情報のそれぞれに含まれる、ＬＡＮ９用の識別情報が、ユーザに割り当てられた共通のユーザ識別情報と、各無線端末に対応する端末識別情報とで形成される。このような識別情報の構成によっても、第２無線設定情報は第１無線設定情報と関連付けられていることになり、以て、アクセスポイント３は、無線端末１、２による無線通信は同じユーザによって行われていると把握でき、且つ、各端末による無線通信を区別して把握できる。
【００５１】
そして、Ｓ２０３で第２無線設定情報の準備が終了するとＳ２０４へ進み、Ｓ２０４ではその準備された第２無線設定情報が要求元の無線端末２に送信される。この送信される情報が、図７（ｄ）に示す回答メッセージ情報である。この第２無線設定情報の準備が終了してその送信を行うタイミングが、図２に示すシーケンスではタイミングＴ７となる。Ｓ２０４の処理後、設定情報提供処理は終了する。
【００５２】
上述までの無線接続処理及び設定情報提供処理を経て、図２に示すシーケンスが完了した結果、無線端末２は、無線端末１から第２無線設定情報を取得し、それを使用してアクセスポイント３を介してＬＡＮ９に無線接続することが可能となる。この結果、ユーザは自己の複数の無線端末のＬＡＮ９への無線接続を容易に行うことができるとともに、アクセスポイント３及び宿泊管理装置５は、ＬＡＮ９へ無線接続する無線端末と、ユーザとを関連付けて把握できるため、ＬＡＮ９への無線接続の管理を容易なものとすることができる。
【００５３】
ここで、図８にアクセスポイント３が有している管理用無線設定情報３ａのデータ構造を概略的に示す。この管理用無線設定情報は、現在アクセスポイント３を介してＬＡＮ９に無線接続している各無線端末の、無線接続を管理制御するための情報である。具体的には、管理用無線設定情報は、無線接続している無線端末の識別情報（ＩＤ）と、無線端末による無線接続が許可される通信許可期間をフィールドとして構成される。この通信許可期間については、ユーザが部屋Ｒ１に宿泊する期間に応じた期間が設定される。なお、この通信許可期間は、各無線端末がアクセスポイント３を介して初めてＬＡＮ９に無線接続した時点を起点として適用される相対的な期間（例えば、無線接続時から宿泊する２日間等）とすることができる。また、通信許可期間の設定の別法として、特定の日時をアクセスの最終期限として設定することで、通信許可期間を表現してもよい。例えば、チェックアウト予定日が、通信許可期間の最終日として管理用無線設定情報３ａの通信許可期間に入力されてもよい。
【００５４】
部屋Ｒ１における無線端末１、２の無線接続は、この通信許可期間に従って許可されることになる。したがって、ユーザが部屋Ｒ１をチェックアウトし通信許可期間が過ぎると
、アクセスポイント３は、無線端末１、２からの無線通信を拒否することで、ＬＡＮ９への無線接続が管理される。
【００５５】
＜変形例１＞
第２無線設定情報の準備態様の変形例について説明する。上述までの実施例では、無線端末１自身が直接、第１無線設定情報と関連付けられた第２無線設定情報を準備している。その態様に代えて、本変形例に係る準備態様では、無線端末１は、無線端末２から要求があると、アクセスポイント３に対して要求元の無線端末２のための第２無線設定情報を発行するように要求する。すなわち、本変形例に係る準備態様では、第２無線設定情報は無線端末１が直接に準備するのではなく、無線端末１はアクセスポイント３から当該第２無線設定情報を取得し、それを無線端末２へ提供するものである。
【００５６】
このように無線端末２の第２無線設定情報をアクセスポイント３に発行させる利点は、ＬＡＮ９への無線接続を管理制御するアクセスポイント３が無線端末２の存在を認識したうえで、その第２無線設定情報が無線端末１を介して無線端末２に提供されるため、アクセスポイント３による無線接続の管理制御が好適に行われ得る。そのため、アクセスポイント３による第２無線設定情報の発行のために、無線端末１は、自己のアドレスとともに、要求メッセージ情報に含まれている無線端末２のアドレスをアクセスポイント３に引き渡す。これにより、アクセスポイント３は、第２無線設定情報の発行に当たって、無線端末１と無線端末２は、関連性を有する端末同士であることを把握できる。そこで、アクセスポイント３は、無線端末１に関連付けられた形で、無線端末２専用の第２無線設定情報を発行する。これにより、無線端末２が当該第２無線設定情報を使用してアクセスポイント３にアクセスした場合、当該アクセスを無線端末２によるものであることをアクセスポイント３は識別するとともに、アクセスポイント３は、無線端末２が無線端末１を介して第２無線設定情報を取得したという経緯も把握することが可能となる。これはアクセスポイント３による無線接続の管理制御をより好適なものとする。
【００５７】
＜変形例２＞
上記の実施例では、ホテル側から渡されるカードキー６に、部屋Ｒ１へのチェックイン情報と第１無線設定情報が記録され、その第１無線設定情報が無線端末１のＮＦＣ機能により読み取られることで、無線端末１がＬＡＮ９へ無線接続することが可能となる。一方でチェックイン情報は、カードキー６内に記録された状態でユーザはそのカードキー６を使用して部屋Ｒ１への入室が可能となる。この態様に代えて、無線端末１のＮＦＣ機能により、ホテル側に設けられたＮＦＣ方式に従ったリーダライタ装置から無線端末１に、チェックイン情報と第１無線設定情報を付与してもよい。これにより、ユーザは無線端末１を、部屋Ｒ１に入室するためのキーとして使用するとともに、部屋Ｒ１に入室後直ちにＬＡＮ９への無線接続を試みることができる。本変形例においては、リーダライタ装置が本発明の情報付与装置に相当する。
【００５８】
＜変形例３＞
上記の実施例では、サーバ４はＬＡＮ９に接続され、各端末による第１制御プログラムや第２制御プログラムの入手は、アクセスポイント３を経由して行われた。その態様に代えて、サーバ４がＬＡＮ９の外部のインターネット上に配置され、各制御プログラムの入手そのものは、アクセスポイント３を介することなく各無線端末の無線通信機能を利用してインターネット接続し、そのサーバ４から各制御プログラムをダウンロードできるようにしてもよい。
【００５９】
＜変形例４＞
ユーザによる宿泊の予約処理を行う予約専用サーバを、ＬＡＮ９の外部のインターネット上に配置してもよい。ユーザが無線端末１から予約専用サーバにアクセスしてホテルの
予約処理を完了すると、予約専用サーバからユーザの無線端末１に、ユーザが部屋Ｒ１に宿泊するためのチェックイン情報と第１無線設定情報が送信され、無線端末１内に格納される。なお、この送信の時点では、ユーザの宿泊時期は到来していないため、ユーザが宿泊するためにチェックインする時期まで、送信されたチェックイン情報と第１無線設定情報は無効化され、そのチェックイン時期に到達すると自動的に有効化される。したがって、ユーザによる部屋Ｒ１やＬＡＮ９の不正使用は生じない。なお、本変形例においては、予約専用サーバからの第１無線設定情報等の送信が本発明の情報付与装置による第１無線設定情報等の付与に相当することになる。また、予約専用サーバによる予約処理については、サーバ４をＬＡＮ９の外部のインターネット上に配置して、サーバ４に当該予約処理を行わせてもよい。
【００６０】
＜本発明が適用されるチェックインシステムの他の例＞
上述までの実施例ではホテルの部屋使用のためのチェックインに適用できるシステムを開示した。その他に、複数のユーザに入室が許可された所定空間に設けられたネットワークの使用に関しても、本発明を適用できる。例えば、駅の構内や空港のラウンジ等の、電車や飛行機の利用者に対して利用が認められる空間において、乗車のためのＮＦＣ機能を有するカードやボーディングチケットに、利用者のチェックイン情報と第１無線設定情報を付与するように構成すればよい。その他、会社の訪問客に対して会社の設備である会議室やそこで利用可能なＬＡＮ等への使用許可に関し、本発明を適用することも可能である。この場合も、訪問客に配布される入館証等にチェックイン情報と第１無線設定情報を付与するように構成すればよい。
【符号の説明】
【００６１】
１、２・・・・無線端末
３・・・・アクセスポイント
４・・・・サーバ
５・・・・宿泊管理装置
６・・・・カードキー
９・・・・ＬＡＮ
Ｒ１・・・・部屋
【図１】
2016100715.tif 000003
【図２】
2016100715.tif 000004
【図３Ａ】
2016100715.tif 000005
【図３Ｂ】
2016100715.tif 000006
【図４】
2016100715.tif 000007
【図５】
2016100715.tif 000008
【図６】
2016100715.tif 000009
【図７】
2016100715.tif 000010
【図８】
2016100715.tif 000011